(57)【要約】【課題】録画再生装置が番組録画に失敗した場合でも、ユーザーの携帯電話を用いた操作により、録画再生装置内の不要な番組データを消去することで、再度、録画を実行できる技術が開示されている。しかし、ユーザーが不要な番組データを消去しなければ、番組録画は不可能であった。【解決手段】ワンセグ携帯電話５の個人ID情報とサーバー３の導入によって、ワンセグ携帯電話５の個人ID情報から、ユーザー特定の情報（録画番組の情報や嗜好情報）を識別でき、録画失敗した番組とユーザーの嗜好を反映した推薦番組を含むコンテンツをサーバー３からダウンロードすることが可能になる。その際、上記のコンテンツを視聴可能にするために必要なチケット情報を導入することで、ユーザーは、上記のチケット情報をサーバー３に送信する操作のみで、録画失敗した番組を含むコンテンツを視聴することが可能になる。【選択図】図１
2010258546.tif 000002
【特許請求の範囲】
【請求項１】
ワンセグ携帯電話とテレビジョン放送受信装置とサーバーが互いにコンテンツを視聴するためのチケット情報を含めた情報を通信可能に接続されたコンテンツ視聴システムであって、
前記ワンセグ携帯電話は、ユーザーが視聴したい番組を録画予約する番組予約手段と、
ユーザー個人の情報を特定するためのID情報を記憶するID情報記憶手段と、前記番組予約情報と前記ID情報を前記テレビジョン放送受信装置に送信する送信手段と、前記サーバーから送信された前記チケット情報を受信する受信手段と、受信した前記チケット情報を記憶するチケット情報記憶手段と、ユーザーが前記コンテンツを視聴したい際に、前記チケット情報を前記サーバーに送信する送信手段を備え、
前記テレビジョン放送受信装置は、前記ワンセグ携帯電話から送信された前記番組予約情報と前記ID情報を受信する受信手段と、前記受信した番組予約情報と前記ID情報から番組の録画を実行する録画記憶手段と、番組の録画が成功したかどうかの結果を確認する録画確認手段と、前記番組の録画が成功したかどうかの結果および前記番組情報を前記サーバーに送信する送信手段を備え、また、前記サーバーから前記チケット情報により送信される前記コンテンツを受信する受信手段と、受信した前記コンテンツをデコードするデコード手段を備えることを特徴とするコンテンツ視聴システム。
【請求項２】
前記サーバーは、前記テレビジョン放送受信装置から送信された、前記番組の録画が成功したかどうかの結果および前記番組情報を受信する受信手段と、受信された前記番組情報から、前記録画記憶手段が録画失敗した番組を含む前記コンテンツを視聴するために必要な前記チケット情報を識別するチケット情報識別手段と、前記チケット情報を前記ワンセグ携帯電話に送信する送信手段と、前記ワンセグ携帯電話から送信された、前記チケット情報を受信する受信手段と、受信した前記チケット情報に該当する前記コンテンツを識別するコンテンツ識別手段と、該当する前記コンテンツを前記テレビジョン放送受信装置に送信する送信手段を備えることを特徴とする請求項１記載の前記コンテンツ視聴システム。
【請求項３】
前記テレビジョン放送受信装置は、前記ID情報と、ユーザーが現在までに視聴してきた番組の視聴履歴情報からユーザーの嗜好情報を判別する嗜好判別手段を備え、前記嗜好情報を前記録画確認手段により前記番組の録画が成功したかどうかの結果および前記番組情報とともに、前記サーバーに送信する送信手段を備えることを特徴とする請求項１〜２記載の前記コンテンツ視聴システム。
【発明の詳細な説明】
【技術分野】
【０００１】
本発明は、テレビジョン放送受信装置、ワンセグ携帯電話など、特にテレビジョン放送の番組やストリーミングデータなどを受信し、ユーザーが番組のダウンロードを行うコンテンツ視聴システムに関する。
【背景技術】
【０００２】
近年ディジタルテレビジョン放送番組をハードディスク、または光ディスクなどの記録媒体に記録させる録画再生装置が商品化されている。これにより、ユーザーは外出時などで、視聴できない番組を録画再生装置に録画することができ、帰宅後、録画再生装置を使用して、いつでもその番組を視聴することが可能になっている。
【０００３】
また、ネットワーク技術の発展により、ユーザーの所有する携帯電話と録画再生装置の間で、互いに録画番組情報などの送受信も可能になっている。
【０００４】
さらに、録画再生装置の空き容量不足が原因で番組録画に失敗した場合でも、それをユーザーの携帯電話に通知し、録画再生装置内の不要な番組データを消去することで、録画再生装置の空き容量を確保させ、再度、録画を実行できる技術が開示されている（例えば、特許文献１等）。
【０００５】
ここで、ハードディスクレコーダは、内蔵しているハードディスクの空き容量が不足しているため、ユーザーにより設定された予約録画を実行できないと認識した場合、ユーザーが有している携帯電話に対して通信アンテナから容量不足の通知を送信する。ハードディスクレコーダから送信された通知は、管理サーバーにおいて携帯電話が出力可能なデータ形式に変換されて、携帯電話に送信される。
【０００６】
携帯電話で容量不足の通知を確認したユーザーは、ハードディスクレコーダが既に記憶している番組のデータを要求する。ユーザーは、ハードディスクレコーダが記憶している番組データから、消去する番組データを選択し、これにより空き容量を確保させる。これらの構成から、録画を実行できなかった番組の再録画を試みることができる。
【先行技術文献】
【特許文献】
【０００７】
【特許文献１】特開２００２―６４７８５号公報
【発明の概要】
【発明が解決しようとする課題】
【０００８】
しかしながら、特許文献１のような従来例では、以下の点について課題がある。従来の方法では、録画予約を確実に実行するためには有効なシステムではあるが、その時に携帯電話の操作が困難な状況（例えば、携帯電話が電波を受信できない状態やユーザーが混雑した電車内にいる時など）など、その番組の放送開始までに携帯電話を使用して対応できないと、結果的に番組録画を実行できず、ユーザーは視聴することができなかった。
【０００９】
また、ハードディスクレコーダが記録している番組を消去することにより、空き容量を確保しなければならず、ユーザーが消去してもよい番組がなければ、番組録画は不可能であった。
【００１０】
本発明は上記従来の課題を解決するもので、ユーザーが番組の放送開始時間中に対応できなかったとしても、その後、上記の番組を視聴したいときに、いつでも視聴することができる、テレビジョン放送受信装置及びワンセグ携帯電話からなるコンテンツ視聴システムを提供することを目的とする。
【課題を解決するための手段】
【００１１】
ワンセグ携帯電話とテレビジョン放送受信装置とサーバーが互いにコンテンツを視聴するためのチケット情報を含めた情報を通信可能に接続されたコンテンツ視聴システムであって、
前記ワンセグ携帯電話は、ユーザーが視聴したい番組を録画予約する番組予約手段と、
ユーザー個人の情報を特定するためのID情報を記憶するID情報記憶手段と、前記番組予約情報と前記ID情報を前記テレビジョン放送受信装置に送信する送信手段と、前記サーバーから送信された前記チケット情報を受信する受信手段と、受信した前記チケット情報を記憶するチケット情報記憶手段と、ユーザーが前記コンテンツを視聴したい際に、前記チケット情報を前記サーバーに送信する送信手段を備え、
前記テレビジョン放送受信装置は、前記ワンセグ携帯電話から送信された前記番組予約情報と前記ID情報を受信する受信手段と、前記受信した番組予約情報と前記ID情報から番組の録画を実行する録画記憶手段と、番組の録画が成功したかどうかの結果を確認する録画確認手段と、前記番組の録画が成功したかどうかの結果および前記番組情報を前記サーバーに送信する送信手段を備え、また、前記サーバーから前記チケット情報により送信される前記コンテンツを受信する受信手段と、受信した前記コンテンツをデコードするデコード手段を備えることを特徴とするコンテンツ視聴システムである。
【発明の効果】
【００１２】
本発明のコンテンツ視聴システムによれば、ハードディスクレコーダのような録画記憶手段がユーザーの予約番組の録画に失敗した場合、放送終了後の時間でもその番組を容易に再視聴することが可能になる。
【００１３】
ワンセグ携帯電話とサーバーの導入によって、ワンセグ携帯電話の個人ID情報から、ユーザー特定の情報（予約番組の情報や嗜好情報）を識別でき、録画失敗した番組とユーザーの嗜好を反映した推薦番組を含むコンテンツをサーバーからダウンロードすることが可能になる。
【００１４】
その際、上記のコンテンツを視聴可能にするためのチケット情報を導入することで、ユーザーは番組の放送終了後の時間においても、録画失敗した番組を含むコンテンツを視聴したい時にいつでも、視聴することが可能になる。しかも、その操作方法は、ワンセグ携帯電話からコンテンツを受信するためのチケット情報をサーバーに送信する操作のみであり、容易な方法で実行できる。
【００１５】
これはディジタルテレビジョン放送やネットワーク技術分野において有用であり、これによって、ユーザーの視聴したい番組を見逃すことなく、視聴可能となるコンテンツ視聴システムが提供できる。
【図面の簡単な説明】
【００１６】
【図１】本発明の実施の形態１におけるコンテンツ視聴システムの構成図
【図２】本発明の実施の形態１における図１が示すシステムの詳細図
【図３】本発明の実施の形態１におけるコンテンツ視聴システムの番組予約の動作を示すフローチャート
【図４】本発明の実施の形態１におけるコンテンツ視聴システムの録画予約、チケット情報受信の動作を示すフローチャート
【図５】本発明の実施の形態１におけるコンテンツ視聴システムのコンテンツ受信の動作を示すフローチャート
【図６】本発明の実施の形態１におけるコンテンツ視聴システム内で処理する各情報の詳細図
【発明を実施するための形態】
【００１７】
（実施例１）
以下では、当該発明にかかる実施するための最良の形態について、図面を参照しつつ説明を行う。
【００１８】
以下本発明の第１の実施例を、図面を参照しながら説明する。図１は、コンテンツ視聴システム１の構成図であり、本発明の第１の実施例に係るシステムの構成を示す図である。図１に示すコンテンツ視聴システム１は、携帯会社２、サーバー３、放送局４、ワンセグ携帯電話５、テレビジョン放送受信装置６から構成される。
【００１９】
携帯会社２は、携帯電話を用いた通話、ワンセグメント・ディジタルテレビジョン放送の受信、などのサービスをユーザーのワンセグ携帯電話５に提供する。
【００２０】
次に、放送局４は、ワンセグメント・ディジタルテレビジョン放送をユーザーのワンセグ携帯電話５に提供する。また、特定の１２セグメント・ディジタルテレビジョン放送とこれを視聴可能にするためのチケット情報（詳細は後述する）をサーバー３（詳細は後述する）に送信する。
【００２１】
次に、ワンセグ携帯電話５は、ワンセグメント・ディジタルテレビジョン放送の視聴可能な携帯電話である。これによって、ユーザーはワンセグ携帯電話５を用いて、移動中の電車内などでも放送を視聴することが可能となる。なお、本発明においては、携帯電話を一例としてあげているが、本発明においては、通信機能と放送受信機能を有する端末であればよく、携帯電話に限定されるものではない。
【００２２】
次に、テレビジョン放送受信装置６は、放送局４から送信される、図示しない１２セグメント・ディジタルテレビジョン放送を受信し、その視聴を可能とする装置である。
【００２３】
次に、サーバー３に関してより詳細に説明する。ユーザーがワンセグ携帯電話５を用いて視聴したい番組の番組予約を実行し、その番組予約情報（詳細は後述する）をテレビジョン放送受信装置６に送信する。これに対して、テレビジョン放送受信装置６が上記の番組録画を実行し、それが失敗した場合、サーバー３は、コンテンツ（上記の番組と、ユーザーの嗜好に適した推薦番組と、広告情報）を視聴するためのチケット情報をユーザーのワンセグ携帯電話５に送信する。なお、サーバー３とテレビジョン放送受信装置６とは、通信回線により接続されており、その通信回線を通じて、テレビジョン放送受信装置６が番組録画を失敗したことを通知することが可能になるものである。
【００２４】
そして、ユーザーは在宅時、上記のコンテンツ（録画失敗した番組、ユーザーの嗜好に適した推薦番組、広告情報）を視聴したい時に、ワンセグ携帯電話５を用いてサーバー３に上記のチケット情報を送信する。サーバー３は、上記のチケット情報を識別し、ユーザーのテレビジョン放送受信装置６に該当するコンテンツを提供する。
【００２５】
これに対して、ユーザーはコンテンツの視聴後、ワンセグ携帯電話５を用いて携帯会社２に、コンテンツ受信のサービス料金を支払う。携帯会社２は、放送局４に対して、上記のサービス料金の一部をコンテンツの著作権利用費として、ライセンス料金を支払う。
【００２６】
次に、上述したコンテンツ視聴システムについて、図２を参照しながら、詳細に説明する。図２は、図１が示すコンテンツ視聴システムの詳細図である。
【００２７】
図２には、コンテンツ視聴システム１の構成のうち、ワンセグ携帯電話１１、テレビジョン放送受信装置３１、サーバー５１について詳細に示している。
【００２８】
ここで、ワンセグ携帯電話１１は、放送受信手段１２、デコード手段１３、出力手段１４、番組予約情報抽出手段１５、番組予約手段１６、番組予約情報記憶手段１７、ID情報記憶手段１８、送信手段１９、受信手段２０、チケット情報記憶手段２１、送信手段２２から構成される。
【００２９】
一方、テレビジョン放送受信装置３１は、放送受信手段３２、デコード手段３３、出力手段３４、受信手段３５、ID情報記憶手段３６、録画装置３７、録画確認手段３８、番組予約情報記憶手段３９、録画可否情報記憶手段４０、番組予約情報記憶手段４１、視聴履歴記憶手段４２、嗜好判別手段４３、嗜好情報記憶手段４４、通信手段４５、受信手段４６から構成される。
【００３０】
さらに、サーバー５１は、受信手段５２、チケット情報識別手段５３、チケット情報記憶手段５４、送信手段５５、受信手段５６、コンテンツ識別手段５７、コンテンツ記憶手段５８、送信手段５９、から構成される。
【００３１】
まず、ワンセグ携帯電話１１の構成について詳細に説明する。放送受信手段１２は、アンテナ手段から受信したワンセグメント・ディジタルテレビジョン放送を受信する。そして、ユーザーが所望するチャンネルの放送信号が選択され、Ｈ．２６４トランスポートストリームから、PSI（Program Specific Information）と呼ばれる番組情報を抽出し、デコード手段１３に出力する。デコード手段１３は、Ｈ．２６４トランスポートストリームから番組の映像・音声ストリームを抽出し、復号を行った後の映像信号、音声信号は番組出力手段１４に出力する。番組出力手段１４では、映像信号は図示しない液晶パネルに出力する。液晶パネルを駆動し映像信号を表示させるためのドライバ回路も備えるが本発明には直接関係無いので説明は省略する。音声信号は増幅され図示しないスピーカーに出力する。
【００３２】
本発明では、ユーザーがワンセグ携帯電話１１を用いて番組予約を実行した際、番組予約情報抽出手段１５がデコード手段１３から番組予約情報を抽出し、番組予約手段１６に出力する。番組予約手段１６によって、番組予約が実行され、番組予約情報記憶手段１７に格納される。番組予約情報記憶手段１７と、ユーザーの個人情報、例えば、携帯電話のSIM（Subscriber Identity Module）カード番号、を格納しているID情報記憶手段１８からのID情報は、送信手段１９によってディジタルテレビジョン放送受信装置３１（詳細は後述する）に送信される。
【００３３】
また、受信手段２０は、サーバー５１（詳細は後述する）からチケット情報を受信し、チケット情報記憶手段２１に格納する。ユーザーは在宅時、録画失敗したコンテンツを視聴する時に、上記のチケット情報を送信手段２２からサーバー５１に送信する。
【００３４】
次に、テレビジョン放送受信装置３１の構成について詳細に説明する。放送受信手段３２は、アンテナ手段から受信した１２セグメント・ディジタルテレビジョン放送を受信する。そして、ユーザーが所望するチャンネルの放送信号が選択され、ＭＰＥＧ−２トランスポートストリームから、PSI（Program Specific Information）と呼ばれる番組情報を抽出し、デコード手段３３に出力する。
【００３５】
デコード手段３３は、番組の映像・音声データの復号をおこなった後、その映像信号、音声信号は番組出力手段３４に出力する。番組出力手段３４では、そのディジタル映像信号は、図示しない液晶パネルに出力する。液晶パネルを駆動し、映像信号を表示させるためのドライバ回路も備えるが本発明には直接関係無いので説明は省略する。ディジタル音声信号は増幅され、図示しないスピーカーに出力する。
【００３６】
受信手段３５によって、ワンセグ携帯電話１１から受信された番組予約情報とID情報のうち、まず、ID情報は、ID情報記憶手段３６に格納される。また、番組予約情報は、上記のID情報とともに、録画記憶手段３７に送られ、そのユーザー特定の番組予約情報として認識され、番組予約情報記憶手段３９に格納される。
【００３７】
録画予約した番組の開始時間になると、録画記憶手段３７は、番組予約情報記憶手段３９からユーザーの番組予約情報を読み出し、番組録画を実行する。録画番組の終了時間になると、録画確認手段３８が録画記憶手段３７から録画番組の容量情報を確認し、番組録画が成功したかどうかを確認する。
【００３８】
このとき、番組録画が失敗した場合は、録画失敗の通知フラグ情報を録画可否情報記憶手段４０に格納し、また、録画失敗した番組の予約情報を番組予約情報記憶手段４１に格納する。
【００３９】
また、デコード手段３３からユーザーの視聴履歴情報が抽出され、視聴履歴記憶手段４２に格納される。上記の視聴履歴情報と、ID情報記憶手段３６に格納されていたID情報が、嗜好判別手段４３に送られる。判別されたユーザーの嗜好情報は、嗜好情報記憶手段４４に格納される。
【００４０】
上記の録画可否情報記憶手段４０に格納された録画失敗の通知フラグ情報と、番組予約情報記憶手段４１に格納された録画を失敗した番組の予約情報と、嗜好情報記憶手段４４に格納されている判別されたユーザーの嗜好情報は、送信手段４５からサーバー５１に送信される。
【００４１】
受信手段４６によって、サーバー５１から受信されたコンテンツは、前記放送信号と同様にＭＰＥＧ−２トランスポートストリームとしてデコード手段３３に入力され、コンテンツの映像・音声ストリームを抽出し、復号を行った後の映像信号、音声信号は番組出力手段３４に出力する。番組出力手段３４では、その映像ディジタル信号は、図示しない液晶パネルに出力する。液晶パネルを駆動し映像信号を表示させるためのドライバ回路も備えるが本発明には直接関係無いので説明は省略する。音声信号は増幅され図示しないスピーカーに出力する。
【００４２】
次に、サーバー５１の構成について詳細に説明する。受信手段５２によって、テレビジョン放送受信装置３１から受信された録画可否情報、番組予約情報、嗜好情報は、チケット情報識別手段５３に送られる。チケット情報識別手段５３は、チケット情報記憶手段５４から該当するコンテンツのチケット情報を抽出する。チケット情報は送信手段５５によって、ワンセグ携帯電話１１に送信される。例えば、その後、ユーザーが外出先から帰宅し上記のコンテンツを視聴したい時に、ワンセグ携帯電話１１を用いて上記のチケット情報をサーバー５１に送信する。受信手段５６によって、ワンセグ携帯電話１１から受信されたチケット情報は、コンテンツ識別手段５７に送られる。コンテンツ識別手段５７は、上記のチケット情報により、コンテンツ記憶手段５８から該当するコンテンツを抽出する。上記のコンテンツは送信手段５９からディジタルテレビジョン放送受信装置３１に送信される。
【００４３】
なお、本発明の構成は、録画記憶手段３７と録画確認手段３８が統合されている場合、また、録画記憶手段３７と録画確認手段３８がテレビジョン放送受信装置３１の外部にある場合（例えば、テレビジョン放送受信装置３１に接続してある外部の録画装置を使用している場合）、また、視聴履歴記憶手段４２と嗜好判別手段４３と嗜好情報記憶手段４４が無い場合でも良い。
【００４４】
次に、本システムの動作について説明する。図３、図４、図５は、本発明のコンテンツ視聴システムの一連の動作を示すフローチャートである。図３は、番組予約の動作を示すフローチャートである。図４は、録画予約とチケット情報受信の動作を示すフローチャートである。図５は、コンテンツ受信の動作を示すフローチャートである。
【００４５】
また、図６は、図１、図２が示すシステム内の情報の詳細を示す図である。図６において、番組予約情報７１は、番組の放送開始時間、終了時間を示すデータから構成される放送時間７２と、番組が放送されるチャンネルを示すデータから構成される放送チャンネル７３と、番組のタイトルを示すデータから構成される番組名７４、から構成される。
【００４６】
次に、嗜好情報８１は、ユーザーが視聴してきた番組の中で、最も視聴回数の多い番組のジャンルを示すデータから構成されるジャンル名８２と、ユーザーが視聴してきた番組の中で、最も出演回数の多い出演者のデータから構成される出演者名８３から、構成される。
【００４７】
次に、チケット情報９１は、ユーザーが番組録画に失敗した番組のサーバー内の所在アドレスを示すデータから構成される録画失敗番組アドレス９２と、上記の嗜好情報８１によって、ユーザーに推薦される推薦番組のサーバー内の所在アドレスを示すデータから構成される推薦番組アドレス９３と、それらの視聴可能な有効期限（例えば、視聴可能な期限を示す日時）を示すデータから構成される有効期限情報９４から構成される。
【００４８】
次に、コンテンツ１０１は、上記の録画失敗番組１０２と、上記の推薦番組１０３と、放送局から送信されている広告情報（例えば、企業のコマーシャルなど）を示すデータから構成される広告情報１０４、から構成される。
【００４９】
次に、図３のフローチャートが示す番組予約の動作の詳細について説明する。この動作の一連の流れは、ユーザーがワンセグ携帯電話１１を用いて、視聴したい番組の録画予約をおこない、その番組予約情報７１をユーザーのテレビジョン放送受信装置３１に送信するものである。
【００５０】
詳細について説明する。ユーザーがワンセグ携帯電話１１を用いて、視聴したい番組の番組予約を実行する。このとき、番組予約情報抽出手段１５がデコード手段１３から番組予約情報７１を抽出し、番組予約手段１６に出力する。番組予約手段１６は、放送時間７２、放送チャンネル７３、番組名７４を用いて番組予約を実行し、番組予約情報記憶手段１７に番組予約情報７１を格納する（ステップ１）。
【００５１】
次に、番組予約情報記憶手段１７に記憶されている番組予約情報７１と、ID情報記憶手段１８に記憶されているユーザーのID情報、例えば、携帯電話のSIM（Subscriber Identity Module）カード番号は、送信手段１９によって、ユーザーのワンセグ携帯電話１１からディジタルテレビジョン放送受信装置３１に送信される（ステップ２）。この場合の送受信プロトコルは、予め携帯電話とテレビとの間で取り決められたプロトコルを用いる。その内容は本発明には直接関係しないので説明は省略する。
【００５２】
次に、受信手段３５によって、ディジタルテレビジョン放送受信装置３１は、ワンセグ携帯電話１１から受信されたID情報と番組予約情報７１の内、まずID情報を、ID情報記憶手段３６に格納する。また、番組予約情報７１は、番組予約情報記憶手段３６に格納する。（ステップ３）
次に、図４のフローチャートが示す録画予約、チケット情報の受信の動作の詳細について説明する。この動作の一連の流れは、テレビジョン放送受信装置３１が、ユーザーのワンセグ携帯電話１１から送信された番組予約情報７１を受信する。そして、予約番組の開始時間になると、その番組の録画を実行する。その後、番組録画が失敗した場合、サーバー５１が、その録画失敗番組１０２とユーザーの嗜好に応じた推薦番組１０３と企業のコマーシャルなどの広告情報１０４を含む、コンテンツ１０１を視聴するためのチケット情報９１をユーザーのワンセグ携帯電話１１に送信する。
【００５３】
詳細について説明する。まず、ディジタルテレビジョン放送受信装置３１が録画予約を実行する。このとき、ID情報記憶手段３６に格納されたID情報とともに、番組予約情報記憶手段３９に格納された番組予約情報７１は録画記憶手段３７に送られ、そのユーザー特定の番組予約情報７１として認識され、番組予約情報記憶手段３９に再び格納される。録画予約した番組の開始時間になると、録画記憶手段３７は、番組予約情報記憶手段３９から、そのユーザー特定の番組予約情報７１を読み出し、番組録画を実行する（ステップ１１）。
【００５４】
次に、ディジタルテレビジョン放送受信装置３１は、番組の録画が成功したかどうかを確認する。このとき、録画番組の終了時間に、録画確認手段３８が録画記憶手段３７から、例えば、録画番組の容量情報を確認し、番組録画が成功したかどうかを確認する。番組録画が成功した場合は、本発明のシステムの動作は終了する。番組録画が失敗した場合、録画確認手段３８は、録画可否情報（録画失敗の通知フラグ情報）を録画可否情報記憶手段４０に格納し、また、録画失敗した番組の番組予約情報７１を番組予約情報記憶手段４１に格納する（ステップ１２）。
【００５５】
また、ユーザーが視聴してきた番組の視聴履歴情報は、デコード手段３３から抽出され、視聴履歴記憶手段４２に格納されている。上記の視聴履歴情報が、視聴履歴記憶手段４２から読み出され、ID情報記憶手段３６に格納されていたID情報とともに、嗜好判別手段４３に送られる。嗜好判別手段４３は、上記の視聴履歴情報とID情報からユーザーの嗜好情報を判別し、ユーザー特定の嗜好情報８１は嗜好情報記憶手段４４に格納される。上記の録画可否情報記憶手段４０から読み出された上記の録画可否情報と、番組予約情報記憶手段４１から読み出された番組予約情報７１と、嗜好情報記憶手段４４から読み出された嗜好情報８１は、送信手段４５からサーバー５１に送信される。この場合の送受信プロトコルは、予めテレビとサーバーとの間で取り決められたプロトコルを用いる。その内容は本発明には直接関係しないので説明は省略する。
【００５６】
次に、受信手段５２によって、サーバー５１がテレビジョン放送受信装置３１から受信した上記の録画可否情報、番組予約情報７１、嗜好情報８１は、図示しない記憶手段に格納される（ステップ１３）。
【００５７】
次に、上記の図示しない記憶手段から読み出された、上記の録画可否情報、番組予約情報７１、嗜好情報８１は、チケット情報識別手段５３に送られる。チケット情報識別手段５３は、上記の録画可否情報、番組予約情報７１、嗜好情報８１を用いて、チケット情報記憶手段５４から、該当するコンテンツ１０１を視聴するために要するチケット情報９１を抽出し、送信手段５３に出力する。送信手段５５によって、サーバー５１は上記のチケット情報９１をユーザーのワンセグ携帯電話１１に送信する（ステップ１４）。この場合の送受信プロトコルは、予め携帯電話とサーバーとの間で取り決められたプロトコルを用いる。その内容は本発明には直接関係しないので説明は省略する。
【００５８】
次に、受信手段２０によって、ユーザーのワンセグ携帯電話１１が、サーバー５１から上記のチケット情報９１を受信し、チケット情報記憶手段２１に格納する（ステップ１５）。
【００５９】
次に、図５のフローチャートが示すコンテンツ受信の動作の詳細について説明する。この動作の一連の流れは、ユーザーが在宅時、上記のコンテンツ１０１を視聴したい時に、ワンセグ携帯電話１１を用いて、予めワンセグ携帯電話１１が受信した上記のチケット情報９１をサーバー５１に送信する。サーバー５１は、該当するコンテンツ１０１をユーザーのテレビジョン放送受信装置３１に提供し、ユーザーは番組録画に失敗した番組を含んだコンテンツ１０１を視聴することが可能になる。ユーザーはコンテンツ１０１の視聴後、サービス利用の料金を支払う。
【００６０】
詳細について説明する。まず、ユーザーが在宅時、録画失敗したコンテンツ１０１を視聴する時に、ユーザーのワンセグ携帯電話１１を用いて、上記の受信したチケット情報９１を送信手段２２によってサーバー５１に送信する（ステップ２１）。
【００６１】
次に、受信手段５６によって、ワンセグ携帯電話１１から受信したチケット情報９１は、図示しない記憶手段に格納される。上記の図示しない記憶手段から読み出された、上記のチケット情報９１は、コンテンツ識別手段５７に送られる。コンテンツ識別手段５７は、上記のチケット情報９１により、コンテンツ記憶手段５８から、ユーザーのチケット情報９１に該当するコンテンツ１０１を抽出し、送信手段５９に送る。送信手段５９からテレビジョン放送受信装置３１に送信される（ステップ２２）。この場合の送受信プロトコルは、予めテレビとサーバーとの間で取り決められたプロトコルを用いる。その内容は本発明には直接関係しないので説明は省略する。
【００６２】
次に、受信手段４６によって、テレビジョン放送受信装置３１はサーバー５１から上記のコンテンツ１０１を受信する（ステップ２３）。上記の受信されたコンテンツ１０１は、ＭＰＥＧ−２トランスポートストリームとしてデコード手段３３に入力される。上記コンテンツ１０１の映像・音声ストリームを抽出し、復号を行った後、その映像信号、音声信号は番組出力手段３４に出力される。
【００６３】
次に、番組出力手段３４では、そのディジタル映像信号は、図示しない液晶パネルに出力する。液晶パネルを駆動し、映像信号を表示させるためのドライバ回路も備えるが本発明には直接関係無いので説明は省略する。また、ディジタル音声信号は増幅され、図示しないスピーカーに出力され、ユーザーはコンテンツ１０１を視聴することが可能となる（ステップ２４）。
【００６４】
次に、ユーザーのコンテンツ１０１の視聴後、携帯会社２は、ユーザーのワンセグ携帯電話１１に対して、コンテンツ１０１の受信のサービスに対する課金をおこなう。携帯会社２は、放送局４に対して、上記の課金したサービス料金の一部をコンテンツ１０１の著作権利用費として、ライセンス料金の支払いをおこなう（ステップ２５）。
【００６５】
なお、本システムの動作を示すフローチャートにおいて、ステップ１１の代わりとして、テレビジョン放送受信装置３１に接続してある外部の録画装置を使用している場合でも良い。
【００６６】
以上のように本発明のコンテンツ視聴システムは、録画記憶手段３７がユーザーの予約番組の録画に失敗した場合、放送終了後の時間でもその番組を容易に再視聴することが可能になる。
【００６７】
まず、ワンセグ携帯電話１１の導入によって、ユーザーのワンセグ携帯電話１１のID情報から、ユーザー特定の番組予約情報７１や、嗜好情報８１を識別することができる。
また、サーバー５１の導入によって、上記のID情報と、ユーザー特定の番組予約情報７１と、嗜好情報８１から、録画失敗した番組を含むコンテンツ１０１を視聴可能にするチケット情報９１を導入することできる。
【００６８】
以上により、ユーザーは番組の放送終了後の時間においても、録画失敗した番組を含むコンテンツ１０１を視聴したい時にいつでも、上記のチケット情報９１をサーバー５１に送信する操作のみで、上記のコンテンツ１０１をサーバー５１からダウンロードして視聴することが可能になる。
【産業上の利用可能性】
【００６９】
本発明にかかるコンテンツ視聴システムは、録画記憶手段がユーザーの予約番組の録画に失敗した場合、放送終了後の時間でもその番組を容易に再視聴することが可能になる。ユーザーは番組の放送終了後の時間においても、ワンセグ携帯電話を操作するのみで、その録画失敗した番組をいつでも視聴することが可能となる。
その操作は、ワンセグ携帯電話からコンテンツを受信するためのチケット情報をサーバーに送信するのみであり、容易な方法で実行できる。
これはディジタルテレビジョン放送やネットワーク技術分野において有用であり、これによって、ユーザーの視聴したい番組を見逃すことなく、視聴可能となるコンテンツ視聴システムが提供できる。
【符号の説明】
【００７０】
１    コンテンツ視聴システム構成図
２    携帯会社
３    サーバー
４    放送局
５    ワンセグ携帯電話
６    テレビジョン放送受信装置
１１    ワンセグ携帯電話
１２    放送受信手段
１３    デコード受信手段
１４    出力手段
１５    番組予約情報抽出手段
１６    番組予約手段
１７    番組予約情報記憶手段
１８    ID情報記憶手段
１９    送信手段
２０    受信手段
２１    チケット情報記憶手段
２２    送信手段
３１    テレビジョン放送受信装置
３２    放送受信手段
３３    デコード手段
３４    出力手段
３５    受信手段
３６    ID情報記憶手段
３７    録画記憶手段
３８    録画確認手段
３９    番組予約情報記憶手段
４０    録画可否情報記憶手段
４１    番組予約情報記憶手段
４２    視聴履歴記憶手段
４３    嗜好判別手段
４４    嗜好情報記憶手段
４５    送信手段
４６    受信手段
５１    サーバー
５２    受信手段
５３    チケット情報識別手段
５４    チケット情報記憶手段
５５    送信手段
５６    受信手段
５７    コンテンツ識別手段
５８    コンテンツ記憶手段
５９    送信手段
７１    番組予約情報
７２    放送時間
７３    放送チャンネル
７４    番組名
８１    嗜好情報
８２    ジャンル名
８３    出演者名
９１    チケット情報
９２    録画失敗番組アドレス
９３    推薦番組アドレス
９４    有効期限
１０１    コンテンツ
１０２    録画失敗番組
１０３    推薦番組
１０４    広告情報
【図１】
2010258546.tif 000003
【図２】
2010258546.tif 000004
【図３】
2010258546.tif 000005
【図４】
2010258546.tif 000006
【図５】
2010258546.tif 000007
【図６】
2010258546.tif 000008